(57)【特許請求の範囲】
【請求項１】
平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材の端部を、少なくとも一方に調整用突部を有する互いに対向する内面に導くスロープを有する調整補助具を調整用突部の近傍に設け、
該調整補助具のスロープにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにしたことを特徴とする板材収納枠。
【請求項２】
平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材の縁部を狭持して、該板材の高さを調整用突部の高さと同等に維持するクリップを有する調整補助具を調整用突部の近傍に設け、
該調整補助具のクリップにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにしたことを特徴とする板材収納枠。
【請求項３】
平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材を支持して、該板材の高さを調整用突部と同等の高さに維持する支持台またはワイヤーを有する調整補助具を調整用突部の近傍に設け、
該調整補助具の支持台またはワイヤーにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにしたことを特徴とする板材収納枠。
【請求項４】
平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材を付着させて、該板材の高さを調整用突部の高さと同等に維持する吸盤を有する調整補助具を調整用突部の近傍に設け、
該調整補助具の吸盤により、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにしたことを特徴とする板材収納枠。
【請求項５】
平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材を狭持して、該板材の高さを調整用突部の高さと同等に維持するマグネットを有する調整補助具を調整用突部の近傍に設け、
該調整補助具のマグネットにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにしたことを特徴とする板材収納枠。
【請求項６】
平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材の縁部を支持して、該板材の高さを調整用突部の高さと同等に維持するフックを有する調整補助具を調整用突部の近傍に設け、
該調整補助具のフックにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにしたことを特徴とする板材収納枠。
【発明の詳細な説明】
【０００１】
【発明の属する技術分野】
本発明は、各種電気・電子機器に組み込まれるプリント基板やその他の産業分野で使用される板材（例えば建築材料としてのパネル等）を収納する板材収納枠であって、詳しくは、それら板材の幅寸法の変化に対応できる板材収納枠に関する。
【０００２】
【従来の技術】
従来の収納枠の例を図４８を参照して説明する。同図においては、上下に一定の間隔をあけて天板と底板を４本の柱で固定し、左右いずれか一方に直立した側板１１５を他方に直立した固定側板１１４に向け水平方向に移動可能に設けると共に所望位置で固定できるように、上記天板１１１と底板１１２に長孔１１６を設け、該長孔１１６には外側から固定できる六角ボルトや長ネジ等の回転締付部材１１７の軸部を挿通させて、上記可動側板１１５の外側で上記長孔１１６に対応する位置にスライド枠１１８を固着させ、該スライド枠１１８の上下端に上記回転締付部材１１７が締結できるナット等の相手部材１１９を固着した構造としている。固定側板１１４と可動側板１１５の内面には、それぞれ対応する複数の支持溝１２０，１２０，…が形成されるので、設定した両側板１１４，１１５の間隔に応じて、板材１２１が水平位置で向かい合った左右の支持溝１２０，１２０に掛け渡された状態に多段に載置収納できる。
【０００３】
上記例では、板材１２１の収納幅に合わせて両側板１１４，１１５の間隔を設定する際に、対向する支持溝１２０，１２０間の間隔が板材１２１と同じ間隔では板材１２１が円滑に抜き差しできないため、僅かにクリアランスをとる必要がある。このクリアランスをとる微調整が以外と難しく、調整に時間がかかるという問題があった。
【０００４】
本出願人は、上記問題点を解決するため、特願２００１−１７６４１５で出願したように、対向して設けた左右の側板には、互いに対向する内面に互いに対応する複数の支持溝を設けるとともに、左右の側板間の間隔を調節する手段を有する板材収納枠であって、側板または側板の上下に設けられるベース（天板、底板）または側板とベースを連結するジョイントの中から適宜選択される部材の互いに対向する内面の少なくとも一方に支持溝より僅かに突出する調整用突部を設けた板材収納枠を発明している。この特願２００１−１７６４１５の発明は、調整用突部に収納すべき板材を接触させて板材の幅を合わせるだけで支持溝間は基板より僅かに大きな間隔となるから、誰でもクリアランスの調整を短時間で行うことができる板材収納枠を提供することができるものであった。
【０００５】
【発明が解決しようとする課題】
但し、このクリアランス調整時に片手で板材を持って前記調整用突部を有する対向する内面の一方に板材の一端を当接させて、それからもう一方の手で側板を他方の側板に向け移動し、調整作業が終了するまで片手で板材を支えていなければならなかった。すなわち板材を片手で支持しておく操作ともう一方の手で可動側板を移動する操作を同時に行わなければならなかったので、この操作が意外と煩わしく、より作業を容易に行えることが望まれていた。
【０００６】
本発明は上記の板材収納枠の問題点を解決することを課題とするものであり、収納幅の間隔を設定する際にクリアランスの調整作業をより容易に行うことができる板材収納枠を提供することをその目的とするものである。
【０００７】
【課題を解決するための手段】
本発明は、この目的を達成するため次のような構成を採用している。
【０００８】
つまり、平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させる調整補助具を調整用突部の近傍に設けるとともに、
側板間の所定または適当な位置に置いた板材の端部を、少なくとも一方に調整用突部を有する互いに対向する内面に導くスロープを有する調整補助具を調整用突部の近傍に設け、
該調整補助具のスロープにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにしたものである。
【００１０】
また、平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材の縁部を狭持して、該板材の高さを調整用突部の高さと同等に維持するクリップを有する調整補助具を調整用突部の近傍に設け、
該調整補助具のクリップにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにすることが望ましい。
【００１１】
また、平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材を支持して、該板材の高さを調整用突部と同等の高さに維持する支持台またはワイヤーを有する調整補助具を調整用突部の近傍に設け、
該調整補助具の支持台またはワイヤーにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにすることが望ましい。
【００１２】
また、平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材を付着させて、該板材の高さを調整用突部の高さと同等に維持する吸盤を有する調整補助具を調整用突部の近傍に設け、
該調整補助具の吸盤により、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにすることが望ましい。
【００１３】
また、平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材を狭持して、該板材の高さを調整用突部の高さと同等に維持するマグネットを有する調整補助具を調整用突部の近傍に設け、
該調整補助具のマグネットにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにすることが望ましい。
【００１４】
また、平行な支持溝が複数形成されてなる一対の側板を枠の内面に支持溝が互いに向き合うように配置し、さらに左右の側板間の間隔を調節する手段を有して、相対する支持溝に板材の対となる縁を挿入して、板材を所定間隔で収納できるようにした板材収納枠において、
側板または側板の上下に設けられるベース（天板、底板）または側板とベースを連結するジョイントの中から適宜選択される部材の互いに対向する内面の少なくとも一方に支持溝より僅かに突出する調整用突部を設けるとともに、
側板間の所定または適当な位置に置いた板材の縁部を支持して、該板材の高さを調整用突部の高さと同等に維持するフックを有する調整補助具を調整用突部の近傍に設け、
該調整補助具のフックにより、
側板間の所定または適当な位置に板材を置いた状態で一方の側板を他方の側板に向けて移動させるだけで、板材の少なくとも一方の端部を前記少なくとも一方に調整用突部を有する互いに対向する内面に当接させるようにすることが望ましい。
【００１８】
【発明の実施の形態】
次に本発明に係る板材収納枠の実施の形態（以下、実施例という）を図面に基づいて説明する。
【００１９】
【実施例】
図１は本発明第一実施例の板材収納枠１の概要を示す正面図であり、図２は図１の左側面図であり、図３は図１の平面図である。図４から図６は、板材１０の収納幅を設定する手段を説明する要部の正面図（下方の要部みを示す）である。図４は設定前、図５は設定途中、図６は設定完の状態を示す。
【００２０】
本発明第一実施例の板材収納枠１は、所定間隔で平行な支持溝６が多数形成され、枠１の内面に支持溝６が互いに向き合うように配置した一対の側板２，３と、側板２，３を所定間隔で支持する一対のベース４，５（天板４と底板５）とを備え、さらに左右の側板２，３間の間隔を調節する手段を有して、相対する支持溝６に板材１０の対となる縁を挿入して、板材１０を所定間隔で収納できるようにしているとともに、側板２，３または側板２，３の上下に設けられるベース４，５（天板４、底板５）または側板２，３とベース４，５を連結するジョイント１２，１５の中から適宜選択される部材の互いに対向する内面の少なくとも一方に支持溝６より僅かに突出する調整用突部３０を設けて、収納する板材１０のクリアランスの調整を容易にするとともに、側板間の所定位置に板材１０を置いた状態で一方の側板を他方の側板に向けて移動させるだけで、板材の少なくとも一方の端部を調整用突部３０を有する対向する内面に導く調整補助具３１を該調整用突部３０の近傍に設けて、クリアランスの調整がより容易にできるようにしたものである。以下、各構成を詳述する。
【００２１】
図１から図６では、板材収納枠１は、ラックとピニオン歯車を組み合わせて一方の側板を他方の側板に向け平行に移動できるようにしているが形成しているが、図示したものに限定されるわけではなく、平行に移動できる機構は、例えば公知の発明であるベルト、チェーン等を用いたものでも良く、また、従来例に示した長孔とネジを組み合わせた方式の板材収納枠のように平行に移動できるタイプでなくても良い。つまり、一方の側板を他方の側板に向け移動できるものであり、板材の収納幅に合わせて幅調整ができるものであれば良い。
【００２２】
図１から図６では、ベース４，５（天板４と底板５）はプラスチック等の合成樹脂で形成しているものを例示しているが、合成樹脂に限らず亜鉛メッキ鋼板等をプレスにて曲げ加工して適度な剛性をもたせたいわゆる板金で構成しても良い。この一対のベース４，５間に設けられる固定側板２と可動側板３は、内面に多数の支持溝６が形成され、外面には長手方向の両端部よりやや内側に互いに向かい合った一対の鉤形片８を上下に並設した複数の単位板７を連接して構成されている。即ち、固定側板２と可動側板３は、それぞれ単位板７を同一平面上に上下に所定枚数配設し、外面の一対の鉤形片８にハット材９の舌片１１を差し込んで、複数の単位板７を串刺し状に刺し、一体化した構造としている。固定側板２は、一対の両端のハット材９の上下端に取り付けられたアングル材（図示せず）等の連結材にて、左右いずれか一方の端部でベース４とベース５に固着されている。板材収納枠１の他方の両端の角部には一対の支柱１３を立設し、ベース４とベース５の端部とを一定の間隔に支持固定している。つまり、ベース４とベース５、固定側板２のハット材９とアングル材等の連結材（図示せず）及び支柱１３にて、収納枠としての剛性のある箱体が形成されている。
【００２３】
また、可動側板３の一対のハット材９の上下端にジョイント（スライダ）１５を固着している。ジョイント１５の内部には後述する軸心が直交するように配置したピニオン歯車（図示せず）を回動自在に設けている。この可動側板３が固定側板２と向かい合った状態で平行に移動して、固定側板２に近づけたり遠ざけたりできるように、可動側板３の４隅部近くに、前述の互いに連動する少なくとも１個のピニオン歯車（図示せず）を回動自在に設け、該全てのピニオン歯車と噛合するラック（図示せず）を刻設したガイドレール１４を固定側板２に対して直角方向になるようにベース４とベース５の内面に配設している。また、ベース４とベース５にはそれぞれガイドレール１４と平行な長孔２３を穿設し、該長孔２３を貫通し表と裏から挟圧する固定手段２４を設けると共に、該固定手段２４の操作部２５をベース４とベース５の内側に設けて、移動した可動側板３の位置を固定できるようにしている。
【００２４】
次に、図４から図６を用いて、板材１０の収納幅を設定する手段について説明すると、図６に示したように側板２，３の向き合う支持溝６の間隔をＤとすると、Ｄ＞Ｅとなるように、対向するジョイント１２とジョイント１５の互いに向き合う内面に調整用突部（支持溝６から内側に突出する部分）３０を設けたものであって、この調整用突部３０に板材１０を接触させてＥの間隔に板材１０を合わせることにより、支持溝６，６の間隔ＤはＥの間隔よりも僅かに大きくすることができるから、適度のクリアランスを有して円滑に板材１０を抜き差しできるようになる。Ｄの間隔がＥの間隔より１ミリ程度大きくなるように調整用突部３０を設けることが望ましい。尚、前記調整用突部３０は、両ジョイント１２，１５の対向した位置に設けた説明をしたが、突部の高さを二倍にして、どちらか一方のジョイント内面に設けても良い。この調整用突部３０を設けて収納幅を設定する手段は、以後の各実施例に共通する。
【００２５】
この少なくとも一方に調整用突部３０を有する支持溝に接して、調整補助具３１が接着等により設けられる。調整補助具３１は垂直面（取付面）３４と垂直面３４上部から斜め下方に向かうスロープ３２を有する三角形のブロック状で、前記調整用突部３０を有する支持溝の下面から斜め下方に向かうスロープ３２がベース（底板５）に設けたガイドレール１４の上面より下に達するように設けられる。この第一実施例の板材収納枠１では可動側板３側に調整補助具３１が設けられていて、図４に示すように板材１０の一方の端を固定側板２側の調整用突部３０を有する支持溝に支持させるとともに、板材１０の他方の端をガイドレール１４に置いてから手を離した状態で、図５に示したように可動側板３を固定側板２に向けて移動すれば、やがて板材１０の他方の端がスロープ３２に達し、スロープ３２に案内されて上昇してやがて図６に示したように可動側板３側の調整用突部３０に達し、クリアランスの調整が終了する。なお、調整補助具３１は、接着ばかりでなく、射出成形等によりジョイント等に一体に成形しても良い。
【００２６】
前記第一実施例において調整補助具３１を可動側板３側に接して設けたが、次に示す第二実施例のように固定側板２側に設けても良い。
【００２７】
図７から図９は第二実施例の板材収納枠３６を示す板材１０の収納幅を設定する手段を説明する要部の正面図（下方の要部みを示す）側面図であり、図７は設定前、図８は設定中、図９は設定完の状態を示す。図７から図９に示す第二実施例の板材収納枠３６は、調整補助具３１を可動側板５に設けるということ以外、その他の構成（ベース４，５、固定側板２，可動側板３等）は第一実施例と同様であるので説明を省略する。
【００２８】
この第二実施例の板材収納枠３６は、第一実施例とまったく同様の構造の調整補助具３１が、第一実施例では可動側板３側に接して設けられるのに対し、固定側板２側に接して設けられる点だけが第一実施例と異なっている。図７に示したように板材１０の一方の端を可動側板３側の調整用突部３０を有する支持溝に支持させた後、板材１０から手を離して板材１０の他方の端をガイドレール１４に載せた後、可動側板３を固定側板２に向けて移動すれば、やがて板材１０の他方の端がスロープ３２に達し、図８に示したようにスロープ３２に案内されて上昇してやがて図９に示したように固定側板２側の調整用突部３０に達し、クリアランスの調整が終了する。
【００２９】
図１０，図１１は、第三実施例の板材収納枠４１を示す板材１０の収納幅を設定する手段を説明する要部の正面図（下方の要部みを示す）であり、図１０は設定前、図１１は設定中の状態を示す。この板材収納枠４１は、調整補助具３１を固定側板２と可動側板３の両方に設けている。その他の構成は第一実施例の板材収納枠１と同様であるので説明を省略する。この板材収納枠４１は図１０に示したように板材１０をガイドレール上面（水平面）に載せると、図１１に示したように可動側板３を固定側板２に向けて移動すれば板材１０の両端が両スロープ３２に沿って自動的に両調整用突部３０に導かれるので、調整用突部３０を有する支持溝に板材１０をセットする必要がない分、上記第一、第二各実施例よりさらに調整作業が容易になる。
【００３０】
本発明は、上記実施例のラックとピニオン歯車を組み合わせて一方の側板を他方の側板に向けて平行に移動できるように形成したタイプの板材収納枠ばかりでなく、例えば従来例の図４８に示したような長孔とネジを組み合わせた方式の板材収納枠にも適用できる。また、チェーンを用いたりして、一方の側板を他方の側板に向けて平行に移動できるように形成したタイプの板材収納枠にも適用できる。このうち、長孔とネジを組み合わせた方式の板材収納枠について、図１２、図１３、図１４を用いて説明する。
【００３１】
図１２から図１４は、第四実施例の板材収納枠４６を示す板材１０の収納幅を設定する手段を説明する要部の正面図（下方の要部みを示す）である。図１２は設定前、図１３は設定中、図１４は設定完の状態を示す。この板材収納枠４６は上記第一から第三実施例のラックとピニオン歯車を組み合わせに代えて、長孔（図示せず）とネジ４９を組み合わせた方式の左右の側板２，３間の間隔を調節する手段を有している点が異なっている。その他の構成は第一実施例とほぼ同様であるので説明を省略する。また、この第四実施例の板材収納枠４６の調整補助具４７は、第一〜第三実施例の調整補助具３１がブロック状であるのに対し、平板を鋭角に折り曲げた形状にしている点が異なっているが、垂直面（取付面）３４やスロープ３２を有している点は同様であり、スロープ３２を底板５や天板４に接するように設けることにより第一から第三実施例のブロック状の調整補助具３１と同様の効果を奏する。すなわち、図１２に示したように第一実施例と同様に板材１０の一方の端を固定側板２側の調整用突部３０を有する支持溝に支持させた後、板材１０から手を離して板材１０の他方の端を長孔（図示せず）に載せた後、可動側板３を固定側板２に向けて移動すれば、やがて図１３に示したように板材１０の他方の端がスロープ３２に達し、スロープ３２に案内されて上昇してやがて図１４に示したように可動側板３側の調整用突部３０に達し、クリアランスの調整が終了するのは第一実施例と同様である。なお、可動側板３は第一から第三実施例の板材収納枠１、３６、４１の平行に移動できるようにしたものではないので、底板５側と天板４側の両方を調整する必要がある。
【００３２】
その場合、天板４側を調整する場合には、板材１０が落下するため、底板５側を調整した後、上下をさかさまにして天板４側を下にして調整を行うか、または板材収納枠４６を横にして調整を行うか、または、天板４側に板材１０が落下しないような支持手段、例えば後述するような回動式のクリップや吸盤等を設けると良い。
【００３３】
本発明は、上記各実施例のスロープ３２を有する調整補助具３１，４７ばかりでなく、種々のタイプの調整補助具を適用することができる。
【００３４】
図１５、図１６は、第五実施例の板材収納枠５１を示す板材１０の収納幅を設定する手段を説明する要部の正面図（下方の要部みを示す）である。図１５は設定途中、図１６は設定完の状態を示す。第五実施例の板材収納枠５１は第一実施例の調整補助具３１に代えて調整用突部３０を有する支持溝にクリップ５３を有する調整補助具５２を備えるもので、調整補助具５２以外の構成は第一実施例と同様であるので説明を省略する。この調整補助具５２のクリップ５３は、少なくとも一方に狭持片５４を備え，狭持片５４により（図１５では、狭持片５４と支持溝間に）板材１０の縁を狭持して板材１０の高さを調整用突部３０を有する支持溝面と同等に維持することができるようにしたものである。
【００３５】
この第五実施例の板材収納枠５１は、図１５に示したように固定側板２側の調整用突部３０を有する支持溝に設けたクリップ５３を有する調整補助具５２に板材１０の一方の端を狭持させた後、板材１０から手を離して、可動側板３を固定側板２に向けて移動すれば、図１６に示したように板材１０の他方の端がやがて可動側板３側の調整用突部３０に達し、クリアランスの調整が終了する。
【００３６】
このクリップ５３を有する調整補助具５２はジョイント１２に一体に成形しているが、ジョイント１２，１５や側板２，３等に接着により取り付けても良い。またクリップ５３は、ジョイントに一体に固定されているが、可動（回動）するものであっても良い。
【００３７】
図１７は第六実施例の板材収納枠５６を示す内側から固定側板２を見た場合の断面図（下方のみを示す）であり、図１８は図１７のＡ−Ａ断面図である。図１７，図１８に示したように、この第六実施例の板材収納枠５６は、第五実施例が固定式のクリップ５３を有する調整補助具５２を備えていたのに対し、可動式のクリップ５８を有する調整補助具５７を備えるものである。この調整補助具５７は、図１８に示したように固定側板２に設けた回転軸５９と、回転軸５９から延設したアーム６０の先端に前記第五実施例と同様の一対の狭持片５４，５４からなるクリップ５８を有するもので、板材１０の一方の端を固定側板２側の調整用突部３０に当接させ、支持溝に支持させた状態でその当接させた板材端の左右側面を回転軸５９を支点として矢印方向に２７０度回動させて開口部側から狭持して使用するものである。クリアランスの調整をする時に必要に応じて回動させて使用し、クリアランス調整後は逆方向に回転させて元に戻しておく。その他の構成及び板材１０の端の左右側面をクリップ５８を回動させて狭持した後の使用方法は上記第五実施例の板材収納枠と同様であるので説明を省略する。
【００３８】
上記第五実施例、第六実施例の板材収納枠５１，５６は、クリップ式調整補助具５２，５７だけでは、板材１０が幅方向に長い場合には撓むおそれがある。その場合に後述するように板材１０が撓むことを防止する支持台６３をベース４，５等に併設しても良い。支持台６３の高さは板材１０の端部が調整用突部３０を有する支持溝の高さに合うように設けると良い。
【００３９】
また、調整補助具は調整用突部３０の高さに合わせて板材１０を支持するように設けた支持台６３を有するもの単体でも良い。その例を次に説明する。
【００４０】
図１９から図２０は第七実施例の板材収納枠６１を示す板材１０の収納幅を設定する手段を説明する要部の正面図（下方の要部みを示す）である。図１９は設定途中、図２０は設定完の状態を示す。この板材収納枠６１の調整補助具６２は、調整用突部３０の高さに合わせて板材１０を支持する高さに突出させた支持台６３を有するもので、天板４や底板５に接着等により取り付けられている。調整補助具６２以外の構成は第一実施例と同様であるので説明を省略する。この第七実施例の板材収納枠６１は、固定側板２側の調整用突部３０を有する支持溝に板材１０の一方の端を当接するように支持台６３に板材１０をのせて支持させた後、板材１０から手を離して、図１９に示したように可動側板３を固定側板２に向けて移動すれば、板材１０は支持台６３により高さを維持するので、図２０に示したようにやがて板材１０の他方の端が可動側板３側の調整用突部３０に達し、クリアランスの調整が終了する。なお、板材１０が支持台６３上をスライドしても板材１０の高さが変わらないように維持できるほど支持台６３の板材支持面の面積を充分に大きくとれる場合には、調整用突部３０を有する支持溝に板材１０をセットする必要がない。その場合には可動側板３を固定側板２に向けて移動すれば可動側板３側の調整用突部３０に押されて板材１０の端が固定側板２側の調整用突部３０に導かれるので、調整用突部３０を有する支持溝に板材１０をセットする必要がない分、調整作業が容易になる。
【００４１】
前記第七実施例の板材収納枠６１の調整補助具６２は天板４や底板５に固定されていたが、次に述べる第八実施例のように回動式にすることができる。
【００４２】
図２１、図２２は第八実施例の板材収納枠６６を示す板材１０の収納幅を設定する手段を説明する要部の正面図（下方の要部みを示す）である。図２１は設定前を、図２２は設定途中の状態を示す。この板材収納枠６６の調整補助具６７は図２０、図２１に示したように支持台６８は蝶番等により回動軸６９を支点にして回動可能に天板４や底板５に取り付けられるもので、クリアランス調整を行う時のみ、図２１に示したように支持台６８を回動させて支持する板材１０の高さが調整用突部３０と高さが同等になるように突出させて使用する。調整補助具６７以外の構成及び支持台６８を回動させて調整用突部３０を有する支持溝面と高さが合うように突出させた後の使用方法は前記第七実施例と同様であるので説明を省略する。
【００４３】
調整補助具は前記第七実施例や、第八実施例の支持台６３、６８を有するものに代えて、次に述べる第九実施例のようにワイヤーを有するものでも良い。
【００４４】
図２３から図２５は第九実施例の板材収納枠７１を示す板材１０の収納幅を設定する手段を説明する要部の正面図（下方の要部みを示す）である。図２３は設定前、図２４は設定途中、図２５は設定完の状態を示す。この第九実施例の板材収納枠７１の調整補助具７２は、剛性のあるワイヤー７３を固定側板２側の調整用突部３０を有する支持溝下部から高さを維持して可動側板３の調整用突部３０を有する支持溝下部を貫通して外側に突出するように装着したもので、その他の構成は第一実施例と同様であるので説明を省略する。この第九実施例の板材収納枠７１は、前記第七実施例の支持台６３と同様に図２３に示したようにワイヤー７３に板材１０をのせて支持させた後、板材１０から手を離して、図２４に示したように可動側板３を固定側板２に向けて移動すれば、板材１０はワイヤー７３により高さを調整用突部３０と同等に維持するので、やがて板材１０の他方の端が可動側板３側の調整用突部３０に達し、可動側板３側の調整用突部３０に押されて図２５に示したようにやがて板材１０のもう一方の端が固定側板２側の調整用突部３０に達し、クリアランスの調整が終了する。従って、この第九実施例においては調整用突部３０を有する支持溝に板材１０をセットする必要がない分、調整作業が容易になる。
【００４５】
この実施例では剛性のあるワイヤーを用いたが、金属や樹脂でできたシャフトやそれに類似するもの（例えばネジ等）でも良い。また、板材１０が撓まなければ伸縮性のあるゴムのようなワイヤーでも良い。伸縮性のあるワイヤーを用いた場合には、剛性のあるワイヤーのように可動側板３から外方に突出することがない。
【００４６】
また、調整補助具は板材を付着させる吸盤を有するものでも良い。図２６から図２８は第十実施例の板材収納枠７６を示す板材１０の収納幅を設定する手段を説明する要部の正面図（下方の要部みを示す）である。図２６は設定前、図２７は設定途中、図２８は設定完の状態を示す。この第十実施例の板材収納枠７６は、先端に板材１０を付着させる吸盤７８を有する調整補助具７７をベース（天板４，底板５）に接着や吸盤により取り付けたものである。調整補助具７７以外の構成は第一実施例と同様であるので説明を省略する。この第十実施例の板材収納枠７６は、図２６に示したように板材１０の一方の端を固定側板２側の調整用突部３０を有する支持溝に当接するように吸盤７８に板材１０を付着させて支持させた後、板材１０から手を離して、図２７に示したように可動側板３を固定側板２に向けて移動すれば、吸盤７８により板材１０の高さを調整用突部３０を有する支持溝面と同等に維持するので、やがて板材１０の他方の端が可動側板３側の調整用突部３０に達し、図２８に示したようにクリアランスの調整が終了する。この吸盤を有する調整補助具７７はスロープ３２を有するものや、支持台６３を有するものと異なり、天板４側を調整する時でも落下することがない。
【００４７】
また、調整補助具はマグネットで板材を狭持するようにしたものでも良い。図２９から図３１は第十一実施例の板材収納枠８１を示す板材１０の収納幅を設定する手段を説明する要部の正面図（下方の要部みを示す）である。図２９は設定前、図３０は設定途中、図３１は設定完の状態を示す。この第十一実施例の板材収納枠８１は、マグネット８３を有する調整補助具８２を備えたものである。ベース（天板４，底板５）に先端にマグネット８３ａを有する本体８４を設け、本体８４に蝶番（図示せず）で開閉自在に接続したマグネット８３ｂを設けたもので、その他の構成は第一実施例と同様であるので説明を省略する。
【００４８】
この第十一実施例の板材収納枠８１は、固定側板２側の調整用突部３０を有する支持溝に板材１０の一方の端を当接するように本体８４のマグネット８３ａとマグネット８３ｂの間に板材１０を狭持させた後、板材１０から手を離して、可動側板３を固定側板２に向けて移動すれば、両マグネット８３ａ，８３ｂに狭持され板材１０の高さを調整用突起３０と同等に維持するので、やがて板材１０の他方の端が可動側板３側の調整用突部３０に達し、クリアランスの調整が終了する。なお、ベース（天板４、底板５）が板金製の場合、図３２の板材１０の収納幅を設定する手段を説明する要部の正面図（下方の要部みを示す）に示したように、調整補助具８２の本体８４の取付部にマグネット８３ｃを配設することにより、間隔調整具８２の取り付け、取り外しを容易に行うことができる。
【００４９】
また、前記調整補助具が板材１０の端部を支持するフックを有するものでも良い。図３３から図３５は第十二実施例の板材収納枠を示す板材１０の収納幅を設定する手段を説明する要部の正面図（下方の要部みを示す）である。図３３は設定前、図３４は設定途中、図３５は設定完の状態を示す。この第十二実施例の板材収納枠８６は、天板４または底板５に取り付けられる伸縮性のあるゴム状体８８とゴム状体の先端にフック８９を設けた調整補助具８７を備えたもので、調整用突部３０を有する支持溝に片側の端部を支持された板材１０のもう一方の端部が落下しようとする力とゴム状体８８の張力のバランスをとるように、つまり板材１０の高さを調整用突部３０を有する支持溝に合わせて維持できる程度の張力を有するゴム状体８８を選択しておく。その他の構成は第一実施例と同様であるので説明を省略する。
【００５０】
この第十二実施例の板材収納枠８６は、固定側板２側の調整用突部３０を有する支持溝に板材１０の一方の端を当接するとともに、フック８９に板材１０の他方の端部を引っ掛けて支持させた後、板材１０から手を離して、図３４に示したように可動側板３を固定側板２に向けて移動すれば、フック８９に支持され板材１０の高さを維持するので、やがて板材１０の他方の端が可動側板３側の調整用突部３０に達し、図３５に示したようにクリアランスの調整が終了する。
【００５１】
上記第一実施例から第四実施例において、スロープ３２を有する調整補助具３１，４７は、ジョイント１２，１５等に接着または一体成形であらかじめ固定される場合について述べたが、以下の実施例で述べるように調整補助具を着脱自在に設けても良い。
【００５２】
図３６〜図３９は、第十三実施例の板材収納枠９１を示す板材１０の収納幅を設定する手段を説明する要部の正面図（下方の要部みを示す）である。図３６は調整補助具９２を取り付ける前を、図３７は調整補助具９２を取り付けた設定前、図３８は設定途中、図３９は設定完の状態を示す。この第十三実施例の板材収納枠９１は、調整用突部３０を有する調整補助具３１をネジ止め等により着脱自在に設けたもので、その他の構成（ベース４，５、固定側板２，可動側板３等）は第一実施例と同様であるので説明を省略する。
【００５３】
この第十三実施例の板材収納枠９１は、図３６に示したように調整補助具が取り付けられていない状態から、図３７に示したように調整用突部３０を有する支持溝を備えた調整補助具９２をネジ止め等によりジョイント１５に着脱自在に取り付ける。調整補助具９２は支持溝の下面から斜め下方に向かうスロープ３２を有する三角形のブロック状で、第一実施例と同様にスロープ３２がガイドレール１４の上面より下に達するように設けられる。この第一三実施例の板材収納枠９１には可動側板３側のジョイント１５に調整補助具９２を着脱自在に取り付けるとともに、調整補助具９２の支持溝に対応させて固定側板２側のジョイント１２に支持溝を構成する部材９３を着脱自在に取り付けている。それから図３７に示すように板材１０の一方の端を固定側板２側の部材９３の支持溝に支持させるとともに、板材１０の他方の端をガイドレール１４に置いてから手を離した状態で、図３８に示したように可動側板３を固定側板２に向けて移動すれば、やがて板材１０の他方の端がスロープ３２に達し、スロープ３２に案内されて上昇してやがて図３９に示したように可動側板３側の調整用突部３０に達し、クリアランスの調整が終了する。この板材収納枠９１のように調整補助具を着脱自在に設けることにより、別の板材収納枠に調整補助具を再利用することができるとともに、板材収納枠の数量に対し調整補助具の数量を少なくすることができる。
【００５４】
上記各実施例において、板材１０の裏面に部品等が突出して搭載される可能性を考慮してベース４，５から適度な間隔をあけて板材１０の両端を支持溝に支持させる方法について説明したが、板材１０の裏面に部品等が無く平坦な場合には、次の第十四実施例に示すようにベース４，５またはベース４，５内面に配設されたガイドレール１４上に板材１０を置いてクリアランス調整を行うことができる。
【００５５】
図４０〜図４３は、第十四実施例の板材収納枠９６を示す板材１０の収納幅を設定する手段を説明する要部の正面図（下方の要部みを示す）である。図４０は調整用突部３０を有する部材９８を取り付ける前を、図４１は部材９８を取り付けた設定前、図４２は設定途中、図４３は設定完の状態を示す。この第十四実施例の板材収納枠９６は、調整用突部３０を有する部材９８をネジ止め等により着脱自在に設けたもので、その他の構成（ベース４，５、固定側板２，可動側板３等）は第一実施例と同様であるので説明を省略する。
【００５６】
この第十四実施例の板材収納枠９６は、図４０に示したように調整用突部３０を有する部材９８が取り付けられていない状態から、図４１に示したように調整用突部３０を有する部材９８をネジ止め等によりジョイント１５に着脱自在に取り付ける。この部材９８はベース４，５等に置いた板材１０の端面に接触するような位置に取り付け、それから板材１０の一方の端をジョイント１２に当接するように板材１０をガイドレール１４の上に置いてから手を離した状態で、図４２に示したように可動側板３を固定側板２に向けて移動すれば、やがて図４３に示したように板材１０の他方の端が可動側板３側の調整用突部３０に達し、クリアランスの調整が終了する。つまり、ガイドレール１４が上記各実施例の調整補助具の役割を果たす。なお、第四実施例に示したような長孔とネジを組み合わせた方式の板材収納枠においては、ガイドレール１４に代えてベース４、５の内面に直接置くとともに、部材９８をベース４，５の内面に合わせてジョイント１５に取り付けて幅調整を行えば良い。その場合にはベース４，５の内面が上記各実施例の調整補助具の役割を果たす。また、上記使用方法の説明において、板材１０の端面をジョイント１２に当接するように板材１０をガイドレール１４の上に置くように例示したが、必ずしもジョイント１２に当接するよう置く必要はなく、両側板２，３間に位置するようガイドレール上に置けば良い。その場合には可動側板３を固定側板２に向けて移動すれば可動側板３側の調整用突部３０に押されて板材１０の端が固定側板２側の調整用突部３０に導かれるので、調整用突部３０に接触するよう板材１０をセットする必要がない分、調整作業が容易になる。
【００５７】
上記各実施例においては、クリアランス調整に際し、互いに向き合う内面に平行に板材１０を支持する場合について述べたが、これに限らず、次の第十五実施例に述べるように斜めに板材１０を支持してクリアランス調整を行っても良い。
【００５８】
図４４〜図４７は、第十五実施例の板材収納枠１０１を示す板材１０の収納幅を設定する手段を説明する要部の正面図（下方の要部みを示す）である。図４４は調整補助具１０２を取り付ける前を、図４５は調整補助具１０２を取り付けた設定前、図４６は設定途中、図４７は設定完の状態を示す。この第十五実施例の板材収納枠１０１は、どちらか一方の側板２，３側に調整用突部３０を有する調整補助具１０２をネジ止め等により着脱自在に設けるとともに、もう一方の側板側の支持溝６と調整補助具１０２の調整突部３０の間に斜めに支持してクリアランス調整できるように調整用突部３０の高さを大きくしておく（クリアランス調整に使用する支持溝６と調整用突部３０との間隔を対向する支持溝６，６間の間隔より僅かに大きくしておく）もので、その他の構成（ベース４，５、固定側板２，可動側板３等）は第一実施例と同様であるので説明を省略する。
【００５９】
この第十五実施例の板材収納枠１０１は、図４４に示したように調整補助具１０２が取り付けられていない状態から、図４５に示したように調整用突部３０を有する支持溝を備えた第十三実施例の調整補助具９２と同様な調整補助具１０２をネジ止め等により着脱自在に取り付ける。調整補助具１０２は支持溝の下面から斜め下方に向かうスロープ３２を有する三角形のブロック状で、第一実施例と同様にスロープ３２がガイドレール１４の上面より下に達するように設けられる。この第十五実施例の板材収納枠１０１には可動側板３側に調整補助具１０２を着脱自在に取り付けた後、図４５に示すように板材１０の一方の端を固定側板２側の支持溝６に支持させるとともに、板材１０の他方の端をガイドレール１４に置いてから手を離した状態で、図４６に示したように可動側板３を固定側板２に向けて移動すれば、やがて板材１０の他方の端がスロープ３２に達し、スロープ３２に案内されて上昇してやがて図４７に示したように可動側板３側の調整用突部３０に達し、クリアランスの調整が終了する。
【００６０】
上記各実施例において、調整用突部３０を側板２，３とベース（天板４，底板５）を連結するジョイント１２，１５に設ける場合について述べたが、ジョイント１２，１５に限らず、側板２，３や側板２，３の上下に設けられるベース（天板４、底板５）に調整用突部３０を設けても良い。また、第一実施例で説明したように調整用突部３０は、突部の高さを２倍にして互いに対向するどちらか一方のジョイント１２，１５内面、側板２，３内面、あるいはベース（天板４，底板５）内面に設けても良い。
【００６１】
前記第五、第六実施例のクリップ５３を有する調整補助具５２，５７を備えた板材収納枠５１，５６や第十実施例の吸盤を有する調整補助具７７を備えた板材収納枠７６、第十一実施例のマグネット８３を有する調整補助具８２を備えた板材収納枠８１、第十二実施例のフック８９を有する調整補助具８７を備えた板材収納枠８６は、スロープ３２を有するものや、支持台６３を有するものと異なり、天板４側を調整する時でも落下することがない。
【００６２】
【発明の効果】
本発明は、上記のように構成されているので、次に記載する効果を奏する。
請求項１の発明によれば、調整補助具により、調整用突部に収納すべき板材を接触させて板材のクリアランスを調整する作業を、板材から手を離した状態で行うことができるからクリアランスの調整がより容易に行える板材収納枠を提供することができる。また、可動側板を固定側板に向けて移動すれば、やがて板材の端がスロープに達し、スロープに案内されて上昇してやがてどちらかの側板側の少なくとも一方に調整用突部を有する互いに対向する内面に達し、クリアランスの調整を行うことができる。
【００６４】
請求項２の発明によれば、クリップに板材の端部を狭持して、板材の高さを調整用突部と同等に維持するので、可動側板を固定側板に向けて移動すれば、やがて板材のもう一方の端が別の側板側の少なくとも一方に調整用突部を有する互いに対向する内面に達し、クリアランスの調整を行うことができる。
【００６５】
請求項３の発明によれば、板材を支持台またはワイヤーにのせて、可動側板を固定側板に向けて移動すれば、支持台またはワイヤーにより板材の高さを調整用突部と同等に維持するので、やがて板材の両端が両側板側の少なくとも一方に調整用突部を有する互いに対向する内面に達し、クリアランスの調整を行うことができる。
【００６６】
請求項４の発明によれば、板材の一端を一方の側板側の調整用突部に当接するように板材を吸盤に付着させてから、可動側板を固定側板に向けて移動すれば、吸盤により板材の高さを調整用突部と同等に維持するので、やがて板材のもう一方の端が別の側板側の少なくとも一方に調整用突部を有する互いに対向する内面に達し、クリアランスの調整を行うことができる。
【００６７】
請求項５の発明によれば、板材の一端を一方の側板側の調整用突部に当接するように板材をマグネットで狭持させてから、可動側板を固定側板に向けて移動すれば、マグネットで狭持されて板材の高さを調整用突部と同等に維持するので、やがて板材のもう一方の端が別の側板側の少なくとも一方に調整用突部を有する互いに対向する内面に達し、クリアランスの調整を行うことができる。
【００６８】
請求項６の発明によれば、板材の一端を一方の側板側の調整用突部に当接するとともに、フックに他方の板材の端部を引っ掛けて支持させた後、板材から手を離して、可動側板を固定側板に向けて移動すれば、フックに支持され板材の高さを調整用突部と同等に維持するので、やがて板材のもう一方の端が別の側板側の少なくとも一方に調整用突部を有する互いに対向する内面に達し、クリアランスの調整を行うことができる。
【図面の簡単な説明】
【図１】本発明の第一実施例の板材収納枠を示す正面図である。
【図２】図１の左側面図である。
【図３】図１の平面図である。
【図４】本発明第一実施例の板材収納枠の収納幅設定手段を示す要部の正面図であり、設定前を示す。
【図５】本発明第一実施例の板材収納枠の収納幅設定手段を示す要部の正面図であり、設定途中を示す。
【図６】本発明第一実施例の板材収納枠の収納幅設定手段を示す要部の正面図であり、設定完を示す。
【図７】本発明第二実施例の板材収納枠の収納幅設定手段を示す要部の正面図であり、設定前を示す。
【図８】本発明第二実施例の板材収納枠の収納幅設定手段を示す要部の正面図であり、設定途中を示す。
【図９】本発明第二実施例の板材収納枠の収納幅設定手段を示す要部の正面図であり、設定完を示す。
【図１０】本発明第三実施例の板材収納枠の収納幅設定手段を示す要部の正面図であり、設定前を示す。
【図１１】本発明第三実施例の板材収納枠の収納幅設定手段を示す要部の正面図であり、設定途中を示す。
【図１２】本発明第四実施例の板材収納枠の収納幅設定手段を示す要部の正面図であり、設定前を示す。
【図１３】本発明第四実施例の板材収納枠の収納幅設定手段を示す要部の正面図であり、設定途中を示す。
【図１４】本発明第四実施例の板材収納枠の収納幅設定手段を示す要部の正面図であり、設定完を示す。
【図１５】本発明第五実施例の板材収納枠の収納幅設定手段を示す要部の正面図であり、設定前を示す
【図１６】本発明第五実施例の板材収納枠の収納幅設定手段を示す要部の正面図であり、設定途中を示す。
【図１７】本発明第六実施例の板材収納枠を示す内側から固定側板を見た場合の断面図（下方のみを示す）である。
【図１８】図１７のＡ−Ａ断面図である。
【図１９】本発明第七実施例の板材収納枠の収納幅設定手段を示す要部の正面図であり、設定途中を示す。
【図２０】本発明第七実施例の板材収納枠の収納幅設定手段を示す要部の正面図であり、設定完を示す。
【図２１】本発明第八実施例の板材収納枠の収納幅設定手段を示す要部の正面図であり、設定前を示す。
【図２２】本発明第八施例の板材収納枠の収納幅設定手段を示す要部の正面図であり、設定完を示す。
【図２３】本発明第九実施例の板材収納枠の収納幅設定手段を示す要部の正面図であり、設定前を示す。
【図２４】本発明第九実施例の板材収納枠の収納幅設定手段を示す要部の正面図であり、設定途中を示す。
【図２５】本発明第九実施例の板材収納枠の収納幅設定手段を示す要部の正面図であり、設定完を示す。
【図２６】本発明第十実施例の板材収納枠の収納幅設定手段を示す要部の正面図であり、設定前を示す。
【図２７】本発明第十実施例の板材収納枠の収納幅設定手段を示す要部の正面図であり、設定途中を示す。
【図２８】本発明第十実施例の板材収納枠の収納幅設定手段を示す要部の正面図であり、設定完を示す。
【図２９】本発明第十一実施例の板材収納枠の収納幅設定手段を示す要部の正面図であり、設定前を示す。
【図３０】本発明第十一実施例の板材収納枠の収納幅設定手段を示す要部の正面図であり、設定途中を示す。
【図３１】本発明第十一実施例の板材収納枠の収納幅設定手段を示す要部の正面図であり、設定完を示す。
【図３２】本発明第十一実施例の板材収納枠の収納幅設定手段を示す要部の正面図であり、設定前を示す。
【図３３】本発明第十二実施例の板材収納枠の収納幅設定手段を示す要部の正面図であり、設定前を示す。
【図３４】本発明第十二実施例の板材収納枠の収納幅設定手段を示す要部の正面図であり、設定途中を示す。
【図３５】本発明第十二実施例の板材収納枠の収納幅設定手段を示す要部の正面図であり、設定完を示す。
【図３６】本発明第十三実施例の板材収納枠の収納幅設定手段を示す要部の正面図であり、調整補助具取り付け前を示す。
【図３７】本発明第十三実施例の板材収納枠の収納幅設定手段を示す要部の正面図であり、設定前を示す。
【図３８】本発明第十三実施例の板材収納枠の収納幅設定手段を示す要部の正面図であり、設定途中を示す。
【図３９】本発明第十三実施例の板材収納枠の収納幅設定手段を示す要部の正面図であり、設定完を示す。
【図４０】本発明第十四実施例の板材収納枠の収納幅設定手段を示す要部の正面図であり、調整用突部を有する部材の取り付け前を示す。
【図４１】本発明第十四実施例の板材収納枠の収納幅設定手段を示す要部の正面図であり、設定前を示す。
【図４２】本発明第十四実施例の板材収納枠の収納幅設定手段を示す要部の正面図であり、設定途中を示す。
【図４３】本発明第十四実施例の板材収納枠の収納幅設定手段を示す要部の正面図であり、設定完を示す。
【図４４】本発明第十五実施例の板材収納枠の収納幅設定手段を示す要部の正面図であり、調整補助具取り付け前を示す。
【図４５】本発明第十五実施例の板材収納枠の収納幅設定手段を示す要部の正面図であり、設定前を示す。
【図４６】本発明第十五実施例の板材収納枠の収納幅設定手段を示す要部の正面図であり、設定途中を示す。
【図４７】本発明第十五実施例の板材収納枠の収納幅設定手段を示す要部の正面図であり、設定完を示す。
【図４８】従来例の収納枠を示す斜視図である。
【符号の説明】
１      板材収納枠
２      側板
３      側板
４      天板
５      底板
６      支持溝
１０    板材
１２    ジョイント
１４    ガイドレール
１５    ジョイント
３０    調整用突部
３１    調整補助具
３２    スロープ
３６    板材収納枠
４１    板材収納枠
４６    板材収納枠
４７    調整補助具
５１    板材収納枠
５２    調整補助具
５３    クリップ
５６    板材収納枠
５７    調整補助具
６１    板材収納枠
６２    調整補助具
６３    支持台
６６    板材収納枠
６７    調整補助具
７１    板材収納枠
７２    調整補助具
７３    ワイヤー
７６    板材収納枠
７７    調整補助具
７８    吸盤
８１    板材収納枠
８２    調整補助具
８３    マグネット
８６    板材収納枠
８７    調整補助具
８９    フック
９１    板材収納枠
９２    調整補助具
９３    調整補助具
９６    板材収納枠
１０１  板材収納枠
１０２  調整補助具
【図１】
0003989736.tif 000002
【図２】
0003989736.tif 000003
【図３】
0003989736.tif 000004
【図４】
0003989736.tif 000005
【図５】
0003989736.tif 000006
【図６】
0003989736.tif 000007
【図７】
0003989736.tif 000008
【図８】
0003989736.tif 000009
【図９】
0003989736.tif 000010
【図１０】
0003989736.tif 000011
【図１１】
0003989736.tif 000012
【図１２】
0003989736.tif 000013
【図１３】
0003989736.tif 000014
【図１４】
0003989736.tif 000015
【図１５】
0003989736.tif 000016
【図１６】
0003989736.tif 000017
【図１７】
0003989736.tif 000018
【図１８】
0003989736.tif 000019
【図１９】
0003989736.tif 000020
【図２０】
0003989736.tif 000021
【図２１】
0003989736.tif 000022
【図２２】
0003989736.tif 000023
【図２３】
0003989736.tif 000024
【図２４】
0003989736.tif 000025
【図２５】
0003989736.tif 000026
【図２６】
0003989736.tif 000027
【図２７】
0003989736.tif 000028
【図２８】
0003989736.tif 000029
【図２９】
0003989736.tif 000030
【図３０】
0003989736.tif 000031
【図３１】
0003989736.tif 000032
【図３２】
0003989736.tif 000033
【図３３】
0003989736.tif 000034
【図３４】
0003989736.tif 000035
【図３５】
0003989736.tif 000036
【図３６】
0003989736.tif 000037
【図３７】
0003989736.tif 000038
【図３８】
0003989736.tif 000039
【図３９】
0003989736.tif 000040
【図４０】
0003989736.tif 000041
【図４１】
0003989736.tif 000042
【図４２】
0003989736.tif 000043
【図４３】
0003989736.tif 000044
【図４４】
0003989736.tif 000045
【図４５】
0003989736.tif 000046
【図４６】
0003989736.tif 000047
【図４７】
0003989736.tif 000048
【図４８】
0003989736.tif 000049